(57)【要約】【課題】鋏自体の構成として、一対の刃体の刃部に作用する縦方向の力は作用しないので、切れ味が悪く有効な鋏使用が難しいという課題がある。【解決手段】下側の刃部２と上側の刃部２とを有する一対の刃体１，１を、支軸３を介して回動可能とすると共に、それぞれの刃部２，２に、前記支軸３より離れて触点４と連なる折曲変形部５を介して下側の握り手部６と上側の握り手部６を備え、下側の刃部２と通ずる握り手部６を上側に、上側の刃部２と通ずる握り手部６を下側に、前記折曲変形部５で両握り手部６，６の開き角度を３度ないし１９度以内として設けることを特徴とする鋏の二次元握り手部の構造。【選択図】図１
2015037546.tif 000002
【特許請求の範囲】
【請求項１】
下側の刃部と上側の刃部とを有する一対の刃体を、支軸を介して回動可能とすると共に、それぞれの刃部に、前記支軸より離れて触点と連なる折曲変形部を介して下側の握り手部と上側の握り手部を備え、下側の刃部と通ずる握り手部を上側に、上側の刃部と通ずる握り手部を下側に、前記折曲変形部で両握り手部の開き角度を３度ないし１９度以内として設けることを特徴とする鋏の二次元握り手部の構造。
【発明の詳細な説明】
【技術分野】
【０００１】
本発明は、普通人は勿論のこと、高齢者、子供、身障者を含め何人にも使い易い鋏の二次元握り手部の構造に関する。
【背景技術】
【０００２】
古くから物を裁断するものとして、数多くの種類の鋏は知られ、人間生活にとっても不可欠な道具として活用されている。
【０００３】
しかも、用途に応じて使い易いものを提供するため、全世界では数多くの構造、形状を改良した発明や考案が提案され、一部は広く実用されている。
【０００４】
数多くの改良された鋏のうち、例えば、厚紙などを切る際に握り手部や刃峰が邪魔にならないように、上刃側と下刃側との間を曲げたものが知られている（例えば、特許文献１参照）。
【０００５】
さらに、柄部を所望形状に屈曲変形させて、使い手の使い易い鋏に形成したものが知られている（例えば、特許文献２参照）。
【０００６】
なお、さらに、髪形に合わせて反転使用できるように一対の握り手部を一方向に曲折した構成のものが知られている（例えば、特許文献３参照）。
【先行技術文献】
【特許文献】
【０００７】
【特許文献１】特開２０００−１９７７８０号公報
【特許文献２】特開２００３−３８８６９号公報
【特許文献３】実用新案登録第３０３２３９５号公報
【発明の概要】
【発明が解決しようとする課題】
【０００８】
叙上の先行技術は、特殊な構成の曲げを用いて、特定の用途に適合させたものであるが、従来の一般的に知られる鋏は、図２（ｂ）の作用図に示すように、以下に示す不都合、問題があった。
【０００９】
１．二つの握り手部６ａ，６ａは同じ高さにある。
２．二つの握り手部６ａ，６ａは水平な位置にある。
３．二つの握り手部６ａ，６ａに力を入れると中心線Ｏ−Ｏ上に向う水平方向に閉じる力が入力されるのみで、縦方向の力は入力されない。
４．かしめを支軸として水平方向の力のみが刃部へ伝えられる。
５．刃部は水平方向の力を受けて水平方向の力で閉じて物を切る。
６．擦り合わせに必要な力は与えられない。
７．切り漏れ切り残しが発生する。
【００１０】
本発明は、叙上の点に着目して成されたもので、刃部を備える一対の刃体の両握り手部の角度を保持して開いており、使用時には把持する力のみで、刃部に対して水平方向の分力と、摺り合わせの圧力を与えて、何人でも綺麗に切截，切断できるようにした鋏の二次元握り手部の構造を提供することを目的とする。
【課題を解決するための手段】
【００１１】
本発明は下記の構成を備えることにより上記課題を解決できるものである。
【００１２】
（１）下側の刃部と上側の刃部とを有する一対の刃体を、支軸を介して回動可能とすると共に、それぞれの刃部に、前記支軸より離れて触点と連なる折曲変形部を介して下側の握り手部と上側の握り手部を備え、下側の刃部と通ずる握り手部を上側に、上側の刃部と通ずる握り手部を下側に、前記折曲変形部で両握り手部の開き角度を３度ないし１９度以内として設けることを特徴とする鋏の二次元握り手部の構造。
【発明の効果】
【００１３】
本発明によれば、一対の刃体の二本の握り手部は、支軸より離れた折曲変形部で一定の開き角度を有しているので、鋏として切截，切断作用を行う時に、両握り手部を把持すれば中心方向に向かい、両握り手部に働く作用の分力は、水平方向と垂直方向に加わり、単に把持する力のみで、有効な切截，切断処理を可能とすると共に、一対の刃部の擦り合わせが強くなり、隙間を生じない。
【００１４】
従って、何人も単に把持する働きさえ行えば、有効な鋏効果を発揮できると共に、握り手部の開き角度を支軸より離れた触点を越え、折曲変形部において両握り手部の開き３度ないし１９度の大きさに形成するのみで、形成できるので、製作が容易で且つ体裁よく簡単に提供できるなどの効果を有する。
【図面の簡単な説明】
【００１５】
【図１】本発明に係る鋏の二次元握り手部の構造の二実施例を示す使用状態の斜視図であって、（ａ）は握り手部が棒状の形状を示すもの、（ｂ）は輪状の形状を示すもの。
【図２】（ａ）は本発明に係る鋏の使用状態を力学的に分析した両握り手部の断面から見た作用図、（ｂ）は従来一般に知られている鋏の力学的に分析した両握り手部の断面から見た作用図
【発明を実施するための形態】
【００１６】
以下本発明を実施するための最良の形態を、実施例により詳しく説明する。
【実施例】
【００１７】
以下に本発明の実施例を説明する。
【００１８】
始めに、本発明の基本的構想について、図１を参照にして説明する。
【００１９】
１，１は、鋏本体Ａの上下一対の下側及び上側の刃体、２，２は、前記刃体１，１の刃部、３は前記刃体１，１を枢支する支軸で、刃体１，１を回動できるようにしてある。４，４は前記支軸３より離れて摺接する触点、５，５は前記触点４，４と連なる長さＷを有する折曲変形部で、作業者が把持する上側及び下側の握り手部６，６を備え、例えば、図１の（ａ）に示す棒状のものと、（ｂ）に示す輪状のものが知られている。
【００２０】
Ｐは、前記折曲変形部５，５の両方又は一方に形成される曲折部分を示す。この曲折部分Ｐは、触点４，４を通ると鋏としての機能を損なうので、この触点４，４を回避した位置形成にしなければならないが、長さＷを有する折曲変形部５，５を離れて形成すると握り手部６が短くなり、作業者の指の働きを妨げる虞れが生じるので、折曲変形部５，５を離れての形成は不可である。
【００２１】
そして、上記曲折部分Ｐは基本的には、鋏本体Ａの重合する刃体１，１の接合面と一致する平面Ｈに対し、上側の刃体１の握り手部６は上方へ曲げ、下側の刃体１の握り手部６は下方へ曲げ、両方の握り手部６，６の角度、即ち開き角度Θは３度ないし１９度以内であることが好ましく、この値以下でも以上でも形成すると、鋏本体Ａの切截効果が低下し実用上好ましくないことが判明している。
【００２２】
そして、両握り手部６，６の開き角度Θは両握り手部６，６が平面Ｈに対し、同一角度で反対方向に曲折するのが好ましいが、必ずしも同一角度であることは限らない。
【００２３】
叙上の構成に基づいて図２に従って作用を説明する。
【００２４】
鋏を使用する作業者は、左又は右の片方の五指を用い切截作業を始める。片方の手で握る左右の握り手部６，６に掛かる力Ｆ１，Ｆ２は中心線Ｏ−Ｏ上に向うが、水平方向の分力ｆ１−ｈ，ｆ２−ｈ及び垂直方向の分力ｆ１−ｖ，ｆ２−ｖに分散され、垂直方向の相対向する反対方向の分力ｆ１−ｖ，ｆ２−ｖは刃部２，２側では反転し、刃を鋭利に切截する重ね合わせる力に作用する。
【００２５】
なお、水平方向の分力ｆ１−ｈ，ｆ２−ｈは両刃部２，２の切截力を高める作用を奏する。
【００２６】
従って、作業者が両方の握り手部６，６を把持して解放する切截の一般的作業を反覆するのみで、一対の刃部２，２は紙等の被切截物を無理なく簡単に切截することができる。
【００２７】
要するに、何等格別なテクニック技術を有することなく、何人も両握り手部６，６を普通の力で把持するだけで紙などの被切截物を綺麗に切截操作を行うことができる。
【００２８】
以上、本発明の実施例について説明したが、折曲変形部５，５の変形は、いずれか一方の折曲変形部５で変形させても良く、また変形方向が両方でも良く、要は両者の開き角度が３度ないし１９度以内であれば差支えない。
【００２９】
この両握り手部６，６の開き角度は鋏として立体的形状となり、鋏作用を快適に行わせることができる。
【符号の説明】
【００３０】
１  刃体
２  刃部
３  支軸
４  触点
５  Ｗの長さを有する折曲変形部
６  握り手部
Ａ  鋏本体
Ｐ  曲折部分
Ｈ  平面
【図１】
2015037546.tif 000003
【図２】
2015037546.tif 000004
【手続補正書】
【提出日】平成26年8月5日(2014.8.5)
【手続補正１】
【補正対象書類名】明細書
【補正対象項目名】００２１
【補正方法】変更
【補正の内容】
【００２１】
そして、上記曲折部分Ｐは基本的には、鋏本体Ａの重合する刃体１，１の接合面と一致する平面Ｈに対し、上側の刃体１の握り手部６は下方へ曲げ、下側の刃体１の握り手部６は上方へ曲げ、両方の握り手部６，６の角度、即ち開き角度Θは３度ないし１９度以内であることが好ましく、この値以下でも以上でも形成すると、鋏本体Ａの切截効果が低下し実用上好ましくないことが判明している。